(57)【要約】【課題】砲身のストローク効果を略回避し、揺架管内のガイド溝が不要で、かつ砲身交換が可能な揺架管内に摺動可能に軸承されている砲身兵器の提供。【解決手段】砲身（２）は揺架管（３）の砲口側と後身側の端部に配置された第１、第２の滑りブッシュ軸受に軸承され、第１の滑りブッシュ軸受はストローク効果なしに構成され、管ブッシュ（７）を有し、管ブッシュの外側面（８）は揺架管内に滑り移動可能に軸承され、各管ブッシュは、内側に、周方向均一に分配配置された４本の溝形状の凹部（９）を有し、砲身には４本のストリップ形状の突出部（１０）が配置され、突出部は管ブッシュの溝状の凹部内へ嵌入し、砲身と相補形状で結合される外側表面（１１）と管ブッシュの内側表面（１２）との間、及びストリップヘッド（１３）と溝状の凹部の内側表面（１４）との間に発射の際に発生する砲身の拡幅を吸収する遊びが設けられている。【選択図】　　　図２
2004020184.tif 000002
【特許請求の範囲】
【請求項１】
後身（１６）と結合された砲身（２；２’）が揺架管（３）内に軸方向に摺動可能に軸承されている、砲身兵器であって、
ａ）砲身（２；２）は少なくとも揺架管（３）の砲口側の端部に配置された第１の滑りブッシュ軸受と後身側の端部に配置された第２の滑りブッシュ軸受（５、６；５’、６’）内に軸承されており；
ｂ）少なくとも第１の滑りブッシュ軸受（５；５’）は、ストローク効果なしに構成されており、かつ管ブッシュ（７；７’）を有しており、前記管ブッシュの外側面（８）は揺架管（３）内に滑り移動するように軸承されており；
ｃ）それぞれの管ブッシュ（７；７’）は、内側に、周面にわたって均一に分配して配置された、少なくともとも３本の溝形状の凹部（９’９’）を有しており；
ｄ）砲身（２’２’）には、少なくとも３本のストリップ形状の突出部（１０；１０’）が配置されており、前記突出部は管ブッシュ（７；７’）の溝状の凹部（９；９’）内へ嵌入し；
ｅ）砲身（２）、またはストリップ形状の突出部（１０’）を支持し砲身（２’）と相補形状で結合されているインナーリング（１９）、の外側表面（１１）と管ブッシュ（７；７’）の内側表面（１２）との間およびストリップヘッド（１３）と管ブッシュ（７；７’）の溝状の凹部（９；９’）の内側表面（１４）との間に、予め定められたあそびが、発射の際に発生する砲身（２；２’）の拡幅がこのあそびの内部に納まるように、設けられている；
ことを特徴とする砲身兵器。
【請求項２】
ストリップ形状の突出部（１０’）は、砲身（２’）と相補形状で結合されたインナーリング（１０）に固定されていることを特徴とする請求項１に記載の砲身兵器。
【請求項３】
第２の滑りブッシュ軸受（６；６’）も、ストローク効果なしで構成されており、かつ第１の滑りブッシュ軸受（５；５’）に相当する構造を有していることを特徴とする請求項１に記載の砲身兵器。
【請求項４】
それぞれの管ブッシュ（７；７’）は、周面にわたって均一に分配して配置された４本の溝状の凹部（９；９’）を有しており、前記凹部内へ、砲身（２；２’）またはインナーリング（１９）に配置された、対応するストリップ形状の突出部（１０；１０’）が嵌入し、かつ前記突出部の側面は溝状の凹部（９）の対応する側面に相補形状で添接することを特徴とする請求項１から３のいずれか１項に記載の砲身兵器。
【請求項５】
第２の滑りブッシュ軸受（６；６’）の管ブッシュ（１５）は、後身（１６）と結合されていることを特徴とする請求項１から４のいずれか１項に記載の砲身兵器。
【請求項６】
揺架管（３）内で第２の滑りブッシュ軸受（６；６’）の砲口側の前に、予め定められた嵌め合いあそびを有する他の滑りブッシュ（１７）が配置されており、前記滑りブッシュは、第２の滑りブッシュ軸受（６；６’）が、砲身（２；２’）の後退の際に管ブッシュ（１５）が完全に揺架管（３）から引き出されるように選択された長さを有する限りにおいて、砲身（２；２’）のガイドを引き継ぐことを特徴とする請求項５に記載の砲身兵器。
【請求項７】
第２の滑りブッシュ軸受（６；６’）は、管ブッシュ（１５）が後退の際に揺架管（３）を逸脱しないように選択された長さを有していることを特徴とする請求項５に記載の砲身兵器。
【発明の詳細な説明】
【０００１】
【発明の属する技術分野】
本発明は、後身と結合された砲身が揺架管内に摺動可能に軸承されている、砲身兵器に関する。
【０００２】
【従来の技術】
この種の砲身兵器は、たとえば特許文献１（西独国特許出願公開第３１４８２６５号明細書）から知られている。それによれば、砲身は、揺架管の砲口側端部と後身側端部に配置されている、２つの滑りブッシュ軸受内に軸承されている。この種の公知の滑りブッシュ軸受において、たとえば対戦車砲の、砲身は質量に基づいて下方の軸受内側端縁上に支持されて、発射の際に発生する砲身拡幅により持ち上げられることが、欠点である。（その場合に）このプロセスは、砲身の振動をもたらし、かつそれぞれの飛翔体の飛出しエラーにマイナスに作用する。
【０００３】
特許文献２（西独国特許出願公開第３９３６４５４号明細書）からは、発射の際に発生する砲身振動を防止するために、従来の滑りブッシュ軸受の代わりにストローク効果のない軸受を使用することが知られており、その軸受においては砲身は発射の際に半径方向において固定のストッパに当接しないので、水平方向においても垂直方向においても砲身拡幅が行われることはない。揺架管内に砲身を軸承するために、砲身に、周側に均一に分配して配置された、長手軸の方向に延びる、滑りレールとして形成された４本のガイドレールが設けられており、それらガイドレールは、支持力と半径方向の砲身拡幅の方向がそれぞれ互いに対して垂直になるように、揺架管の対応するガイド溝内へ嵌入する。
【０００４】
この軸承の場合の欠点は、特に、ガイドレールとガイド溝が２つの軸受箇所を越えて延びており、従って高い製造技術的な手間と費用が必要とされることである。さらに、この種の砲身兵器においては砲身の交換は複雑であり、従って時間がかかる。
【０００５】
【特許文献１】
西独国特許出願公開第３１４８２６５号明細書
【特許文献２】
西独国特許出願公開第３９３６４５４号明細書
【０００６】
【発明が解決しようとする課題】
上記問題に鑑み、本発明の課題は、砲身のストローク効果がほぼ回避され、揺架管内の面倒なガイド溝が不要であって、かつ従来の兵器軸承におけるように砲身交換が可能である、揺架管内に摺動可能に軸承されている砲身兵器を提供することである。
【０００７】
【課題を解決するための手段】
この課題は、本発明によれば、請求項１の特徴によって解決される。本発明の他の、特に好ましい形態は、従属請求項によって開示される。
【０００８】
本発明は、大体において、砲身の少なくとも砲口側に、好ましくは後部側にも、滑りブッシュ軸受を配置する、という考えに基づいており、その滑り軸受は管ブッシュを有し、その管ブッシュ内に砲身がストローク効果なしで配置されており、かつその管ブッシュの外側面は揺架管内に相補形状で滑り移動するように（すなわちできる限り小さいあそびをもって）軸承されているので、−特許文献２の場合とは異なり−互いに独立して作用する軸方向の滑りガイドと径方向の滑りガイドが行われる。そして、発射の際の砲身の半径方向の滑りガイドは、特許文献２の場合と同様に、ストリップ形状の突出部によって行われ、その突出部は管ブッシュの対応する溝状の凹部内へ嵌入して、砲身を管ブッシュの中央に保持する。半径方向の拡幅補償も、砲身ないしは砲身と相対回動不能に結合されている、ストリップ形状の突出部を支持するインナーリングと管ブッシュの内側表面との間に存在する予め定められたあそびによって行われる。
【０００９】
軸方向のレールガイドがないことにより、同様な砲身兵器に比較してより小さい製造の手間と費用しか必要とされない。さらに、提案されている、砲身兵器の軸承はきわめてじょうぶであって、既存の従来の滑りブッシュを新しい、中央で案内する、溝付きの管ブッシュと簡単に交換することが可能である。
【００１０】
戦場で迅速な砲身交換を実施することができるようにするために、前方の（第１の）滑りブッシュ軸受の管ブッシュを砲身と堅固に結合し、後方の（第２の）滑りブッシュ軸受を後身と堅固に結合すると効果的であることが、明らかにされている。その場合には砲身交換の際に第１の管ブッシュは砲身上に残り、かつこの砲身と共に取り外される。第２の管ブッシュは、後身に残ってその外径を介して揺架内の中央で案内される。
【００１１】
第２の滑りブッシュ軸受の管ブッシュが、砲身の後退の際に管ブッシュが完全に揺架管から引き出されるように選択されている長さを有する限りにおいて、揺架管内の後方の滑りブッシュ軸受の砲口側の前に、予め定められた嵌め合いあそびを有する付加的な滑りブッシュが配置され、その滑りブッシュはこの場合において砲身のガイドを引き継ぐ。
【００１２】
しかし、第２の滑りブッシュ軸受は、後退の際に管ブッシュが砲身を逸脱しないように選択された長さを有することもでき、従って付加的な滑りブッシュを省くことができる。
【００１３】
【発明の実施の形態】
本発明の他の詳細と利点は、図面を用いて以下で説明する実施例から明らかにされる。
【００１４】
図１には、砲身兵器が符号１で示されており、同砲身兵器においては砲身２は揺架４の揺架管３内に軸方向に摺動可能に軸承されている。そのために揺架管３の砲口側の端部には、第１の滑りブッシュ軸受５が、そして揺架管３の後身側の端部には第２の滑りブッシュ軸受６が配置されている。
【００１５】
第１の滑りブッシュ軸受５は、管ブッシュ７（図２と３）を有しており、その外側面８は揺架管３内に滑り移動するように軸承されており、管ブッシュ７と揺架管３との間にはできるだけ小さい嵌め合いあそびが設けられている。管ブッシュ７は、内側に均一に分配して配置された４本の溝状の凹部９を有しており、その凹部内へ、砲身２に固定された、対応するストリップ形状の４本の突出部１０が嵌入する。
【００１６】
砲身２の外側の表面１１と管ブッシュ７の内側の表面１２との間およびストリップヘッド１３と管ブッシュ７の溝状の凹部９の内側表面１４との間には、それぞれ予め定められたあそびが設けられている（図２と３において、このあそびは太い黒線によって示唆されている）。
【００１７】
第２の滑りブッシュ軸受６（図１）は、第１の滑りブッシュ軸受５と同様に構成されており、同様に砲身２を中央で案内する、溝を備えた管ブッシュ１５を有している。そして、管ブッシュ１５は、この場合には後身１６と螺合されている。
【００１８】
揺架管３内で、第２の滑りブッシュ軸受６の前に、従来の滑りブッシュ１７が予め定められた嵌め合いあそびで配置されている。
【００１９】
次に、本発明に基づく砲身兵器１の作用方法とそれに伴って滑りブッシュ軸受５と６の機能方法を詳しく説明する。
【００２０】
飛翔体が砲身兵器１から発射された場合に、砲身２は飛翔体が砲身２を通過する際に弾性的に拡幅して、砲身２に設けられているストリップ形状の突出部１０が管ブッシュ７と１５内の溝状の凹部９の半径方向内部で摺動する。砲身２と管ブッシュ５、１７との間に設けられている予め定められたあそびにもとづき、管ブッシュ７、１５は変形されないままであって、その滑りコーティングされた、揺架内径に対してわずかなあそびを有する外側面８を介して軸方向に摺動することができ、揺架管３の内部で固着することを心配する必要はない。滑りブッシュ軸受の内部で外側の砲身壁が均一に半径方向に摺動することによって、砲身は常に中央で案内されたままとなるので、飛翔体通過の間に飛翔体の命中特性に負の作用を有するストローク効果をもたらすことはない。
【００２１】
後身１６および砲身２と結合されている第２の滑りブッシュ軸受６は、砲身が後退する際にこれらのユニットと共に一緒に後退し、すなわち第２の管ブッシュ６はまず揺架管３を逸脱し、次に砲身２が前進する際に導入斜面１８（図１）を介して再び揺架管３内へ進入する。砲身２のガイドは、わずかなあそびで案内されている管ブッシュ１５を逸脱した後に、その前に取り付けられている滑りブッシュ１７によって引き継がれる。そして、滑りブッシュ１７と砲身２は、管ブッシュ１５の揺架管３内への確実な進入を達成し、かつ飛翔体通過の際に砲身が拡幅した場合の固着を確実に回避するために、予め定められた、比較的大きいあそびを有している。
【００２２】
図４と５は、管ブッシュ７’を有する第１の滑りブッシュ軸受５’の、図２および３と同様の第２の実施例を示している。もちろん、４本のストリップ形状の突出部１０’は直接砲身２に固定されておらず、砲身２’に相対回動不能かつわずかなあそびで結合されているインナーリング１９に固定されている。管ブッシュ７’の溝状の凹部は、符号９’で示されている。
【００２３】
インナーリング１９と符号２０で示す砲身段部（図５）との間には、ホルダリング２１が取り付けられている。インナーリング１９とホルダリング２１は、カウンターリング２２によって軸方向に保持されており、そのカウンターリングはねじ２３を介して砲身２’と螺合されている。ホルダリング２１とカウンターリング２２は、管ブッシュ７’のための軸方向の境界を形成している。さらに、２つのねじれ防止部材２４が、砲身軸２５を中心とする管ブッシュ７’のねじれを阻止している。
【００２４】
図６は、第２の滑りブッシュ軸受６’を拡大して詳細に示しており、その第２の滑りブッシュ軸受は第１の滑りブッシュ軸受５’にほぼ相当し、かつ図示されていないストリップ形状の突出部は、同様に、砲身２’に相対回動不能に配置されているインナーリング１９’上に固定されている。
【図面の簡単な説明】
【図１】揺架管の砲口側の端部と後身側の端部に配置されている滑りブッシュ軸受を有する、揺架管内に軸承されている砲身を概略的に示している。
【図２】滑りブッシュ軸受の第１の実施例を図１のＩＩ−ＩＩで示す切断線に沿って示す横断面図である。
【図３】図２に示す滑りブッシュ軸受を、そのＩＩＩ−ＩＩＩで示す切断線に沿って示す縦断面図である。
【図４】滑りブッシュ軸受の他の実施例を示す、図２と同様の横断面図である。
【図５】図４に示す滑りブッシュ軸受をそのＶ−Ｖで示す切断線に沿って示す縦断面図である。
【図６】揺架管の後部側の端部に配置された滑りブッシュ軸受の実施例について、図１にＶＩで示す領域を拡大して示している。
【符号の説明】
１…砲身兵器
２、２’…砲身
３…揺架管
４…揺架
５、５’…第１の滑りブッシュ軸受
６、６’…第２の滑りブッシュ軸受
７、７’…（第１の滑りブッシュ軸受の）管ブッシュ
８…外側面（管ブッシュ）
９、９’…溝状の凹部
１０、１０’…ストリップ形状の突出部
１１…外側表面（砲身）
１２…内側表面（管ブッシュ）
１３…ストリップヘッド
１４…内側表面（溝状の凹部）
１５…（第２の滑りブッシュ軸受の）管ブッシュ
１６…後身
１７…滑りブッシュ
１８…導入斜面
１９、１９’…インナーリング
２０…砲身段部
２１…保持リング
２２…カウンターリング
２３…ねじ
２４…ねじれ防止部材
２５…砲身軸
【図１】
2004020184.tif 000003
【図２】
2004020184.tif 000004
【図３】
2004020184.tif 000005
【図４】
2004020184.tif 000006
【図５】
2004020184.tif 000007
【図６】
2004020184.tif 000008